(57)【要約】      （修正有）【課題】光ディスクの読取面の特定の位置を選択的に研磨することができる光ディスク修復装置を提供する。【解決方法】ハウジング１と、該ハウジングに設けられ、かつ光ディスク５を支持して回転させる回転動力部２と、該ハウジングに設ける蓋体３と、該蓋体に設ける研磨部４とを含んでなる。該蓋体の該回転動力部に対向する面に、該回転動力部が支持する光ディスクの半径方向に沿ってレール溝３１を形成し、該研磨部を、外周面に螺刻した柱状のネジ山部を上面に形成した当接体と、研磨パッド４２と、固定つまみとによって構成するとともに、該ネジ山部の一端が該レール溝を貫通し、該固定つまみを螺着して、該研磨部が該レール溝に沿った可動範囲内の任意の箇所に位置決めできるように構成する。【選択図】図１
0003158157.tif 000002
【実用新案登録請求の範囲】
【請求項１】
ハウジングと、該ハウジングに設けられ、かつ光ディスクを支持して回転させる回転動力部と、該ハウジングに設ける蓋体と、該蓋体に設ける研磨部とを含んでなる光ディスク修復装置であって、
該蓋体の該回転動力部に対向する面に、該回転動力部が支持する光ディスクの半径方向に沿ってレール溝を形成し、
該研磨部を、外周面に螺刻した柱状のネジ山部を上面に形成した当接体と、研磨パッドと、固定つまみとによって構成するとともに、該ネジ山部の一端が該レール溝を貫通し、該固定つまみを螺着して、該研磨部が該レール溝に沿った可動範囲内の任意の箇所に位置決めできるように構成することを特徴とする光ディスク修復装置。
【考案の詳細な説明】
【技術分野】
【０００１】
この考案は光ディスク修復装置に関し、特に情報の記録、もしくは再生を行なう光ディスクの基板面の傷ついた局部的な部位を研磨して修復する光ディスク修復装置に関する。
【背景技術】
【０００２】
通常、光ディスクの構造は、円形の基板上に金属フィルム層を塗布してデータを記録する記録層とし、該金属フィルム層上に、さらにポリカーボネートなどを塗布して、記録したデータを保護する保護層とする。光ディスクに記録されたデータの読み取りに用いる光学ドライブにおいては、ピックアップレンズによって光ディスクの記録面から記録層に記録したデータを読み取る。
【０００３】
光ディスクは、使用する上で、出し入れの動作が頻繁に行なわれる。よって、慎重に取り扱わないと容易に損傷を受ける。使用回数が増えるにつれて、基板上に深さのそれぞれ異なる傷が形成される。係る傷は光学ドライブにおけるデータの読み取りを困難にし、使用上の利便性に影響を与える。
【０００４】
そこで、光ディスク修復装置が開発された。従来の光ディスク修復装置は、研磨パッドを具え、該研磨パッドが光ディスクの基板に当接し、光ディスクが回転することによって摩擦による研磨の作用が発生する。この場合、研磨剤を合わせ利用する。この研磨パッドと研磨剤とによる摩擦作用に光ディスクの読取面を研磨して、表面の傷を除去する目的を達成する。
【０００５】
通常、上述する研磨パッドは位置が固定されていて、主に光ディスク修復装置のハウジング、もしくは蓋体に取り付けられる。係る構造は、光ディスクの読取面の特定の位置を選択的に研磨することができない。よって、光ディスクの読取面に対して全面的に研磨を行ない、かつ研磨の時間を長くすることで、完璧な研磨の効果を達成する。しかしながら、光ディスクの読取面に形成される傷は、それぞれ深さが異なる。仮に、深い傷が存在し、一回の研磨で除去できなかった場合は、再度の全面的な研磨を必要とする。したがって、研磨の過程全体の時間とコストが増加する。このため、業界においては、従来の光ディスク修復装置の係る欠点を検討し、改善の方法を講じる必要がある。
【考案の概要】
【考案が解決しようとする課題】
【０００６】
この考案は、光ディスクの読取面の特定の位置を選択的に研磨することができる光ディスク修復装置を提供することを課題とする。
【課題を解決するための手段】
【０００７】
そこで、本考案者は、従来の技術に見られる欠点に鑑み鋭意研究を重ねた結果、
によって構成する光ディスク修復装置によって課題を解決できる点に着眼し、かかる知見に基づいて本考案を完成させた。
【０００８】
以下、この考案について詳述する。
請求項１に記載する光ディスク修復装置は、ハウジングと、該ハウジングに設けられ、かつ光ディスクを支持して回転させる回転動力部と、該ハウジングに設ける蓋体と、該蓋体に設ける研磨部とを含んでなる光ディスク修復装置であって、
該蓋体の該回転動力部に対向する面に、該回転動力部が支持する光ディスクの半径方向に沿ってレール溝を形成し、
該研磨部を、外周面に螺刻した柱状のネジ山部を上面に形成した当接体と、研磨パッドと、固定つまみとによって構成するとともに、該ネジ山部の一端が該レール溝を貫通し、該固定つまみを螺着して、該研磨部が該レール溝に沿った可動範囲内の任意の箇所に位置決めできるように構成する。
【０００９】
光ディスク修復装置を上述のように構成することによって、選択的に研磨位置を変換することができ、効率よく光ディスクの読取面を研磨して傷を除去することができる。
【考案の効果】
【００１０】
この考案による光ディスク修復装置は、光ディスクの読取面の特定の位置を選択的に研磨することができるため、効率のよい研磨を達成し、研磨の時間を短縮するとともに、研磨に必要とするランニングコストを低減させることができ、使用者の利便性を高めるという利点を有する。
【図面の簡単な説明】
【００１１】
【図１】この考案による光ディスク修復装置の外観と内部構造をしました説明図である。
【図２】図１に開示する光ディスク修復装置の側面から見た内部構造を示した説明図である。
【図３】この考案における研磨部の構造を示した説明図である。
【図４】この考案に光ディスク修復装置の研磨の動作を示した説明図である。
【考案を実施するための形態】
【００１２】
この考案は、光ディスクの読取面の特定の位置を選択的に研磨することができ、効率のよい研磨を達成する光ディスク修復装置を提供するものであって、ハウジングと、該ハウジングに設けられ、かつ光ディスクを支持して回転させる回転動力部と、該ハウジングに設ける蓋体と、該蓋体に設ける研磨部とを含んでなり、該蓋体の該回転動力部に対向する面に、該回転動力部が支持する光ディスクの半径方向に沿ってレール溝を形成し、該研磨部を、外周面に螺刻した柱状のネジ山部を上面に形成した当接体と、研磨パッドと、固定つまみとによって構成するとともに、該ネジ山部の一端が該レール溝を貫通し、該固定つまみを螺着して、該研磨部が該レール溝に沿った可動範囲内の任意の箇所に位置決めできるように構成してなる。
係る光ディスク修復装置の構造と特徴を詳述するために、具体的な実施例を挙げ、図面を参照にして以下に説明する。
【００１３】
この考案による光ディスク修復装置は、図１、２に開示するように、ハウジング１と、ハウジング１内に設ける光ディスクを回転させる回転動力部２と、ハウジング１に回動自在に設ける蓋体３と、蓋体３に設ける研磨部４とを含んでなる。
【００１４】
回転動力部２は、モータ２１と、モータ２１の回転軸の一端に嵌着する回転支持板２２とを含む。回転支持板２２は、図１、２に開示するように、中心部が突起し、光ディスク５を該突起部に嵌着して支持する。光ディスク５を回転支持板２２で支持し研磨を行なう場合は、固定支持板２２の中心部の該突起に固定キャップ２３を冠着する。固定キャップ２３は、固定支持板２２の外部表面と、固定キャップ２３の内壁にそれぞれ螺刻して螺着する方式でもよい。固定キャップ２３によって光ディスク５を回転支持板２２上に固定し、モータ２１の回転軸の回転に同期して光ディスク５を回転させる。
【００１５】
蓋体３は、例えば枢支、もしくは軸支などの形式でハウジング１に回動自在に設ける。また、蓋体３の光ディスク５に対向する面に、光ディスク５の半径方向に沿ってレール溝３１を形成して、研磨部４をレール溝３１に設ける。
【００１６】
図３に開示するように、研磨部４は、当接体４１と、研磨パッド４２と、固定つまみ４３とを含み構成される。当接体４１は外周面に螺刻した柱状のネジ山部４１１を具え、研磨パッド４２はねじ山部４１１の軸線に沿って当接体４１に設ける。また、ネジ山部４１１の一端は、レール溝３１を貫通し、固定つまみ４３を螺着する。よって、研磨部４はレール溝３に沿った可動範囲内の任意の箇所に位置決めすることができる。
【００１７】
研磨パッド４２は、蓋体３でハウジング１の上面開口を閉じた場合、ちょうど光ディスク１の読取面に当接する高さにする。
【００１８】
以上の構成による光ディスク修復装置は、図４に開示するように、読取面の局部に傷が発生した光ディスクを回転支持板２２上に固定し、研磨部４の位置を傷６に当接する位置に調整し、傷６の形成された位置についてのみ研磨を行なう。したがって、設定される研磨の時間は従来の光ディスク修復装置に比して短く、効率よく研磨を行なうことができる。
【００１９】
以上はこの考案の好ましい実施の形態であって、この考案の実施の範囲を限定するものではない。よって、当業者のなし得る修正、変更などであって、この考案の精神の下においてなされ、この考案に対して均等の効果を有するものは、いずれもこの実用新案登録請求の範囲に属するものとする。
【符号の説明】
【００２０】
１                    ハウジング
２                    回転動力部
２１                モータ
２２                回転支持板
２３                固定キャップ
３                    蓋体
３１                レール溝
４                    研磨部
４１                当接体
４１１            ネジ山部
４２                研磨パッド
４３                固定つまみ
５                    光ディスク
６                    傷
【図１】
0003158157.tif 000003
【図２】
0003158157.tif 000004
【図３】
0003158157.tif 000005
【図４】
0003158157.tif 000006